(57)【要約】【課題】本発明は、積上ブロックを複数の高さにおいて補強することにより、地震などの災害時でも倒壊しないようにできる積上ブロック補強用具を提供することを目的とするものである。【解決手段】本発明は、正面側が垂直で背面側が斜面となる略台形状の左側板及び右側板の背面側に背板を連設してコの字状とし、左右側板及び背板の下部に左右土台及び後土台を設けた本体と、前記本体の左土台から右土台に通した複数の支持鉄筋と、一端が前記支持鉄筋に固定される固定部で、他端がフック状の連結部である複数の固定用鉄筋とからなり、前記固定用鉄筋の連結部とブロックの繋ぎ目に通した横筋とを連結材で接続し、前記本体の正面側を積み上げたブロックに当てて支えることを特徴とする積上ブロック補強用具の構成とした。【選択図】図１
2007132005.tif 000002
【特許請求の範囲】
【請求項１】
正面側が垂直で背面側が斜面となる略台形状の左側板及び右側板の背面側に背板を連設してコの字状とし、左右側板及び背板の下部に左右土台及び後土台を設けた本体と、前記本体の左土台から右土台に通した複数の支持鉄筋と、一端が前記支持鉄筋に固定される固定部で、他端がフック状の連結部である複数の固定用鉄筋とからなり、前記固定用鉄筋の連結部とブロックの繋ぎ目に通した横筋とを連結材で接続し、前記本体の正面側を積み上げたブロックに当てて支えることを特徴とする積上ブロック補強用具。
【請求項２】
ブロックに貫通孔を空け、本体の正面側に連結用ボルトを埋め込み、前記連結用ボルトを前記貫通孔に通し、前記連結用ボルトの先を連結用ナットで固定したことを特徴とする請求項１に記載の積上ブロック補強用具。
【発明の詳細な説明】
【技術分野】
【０００１】
本発明は、積上ブロックを複数の高さにおいて補強することにより、地震などの災害時でも倒壊しないようにできる積上ブロック補強用具に関するものである。
【背景技術】
【０００２】
ブロック塀は、コンクリートブロックを積み上げてセメント等で接着することにより形成されるが、想定外に大きい地震などが発生した場合、又はブロック塀自体が劣化していた場合には、倒壊してしまうおそれがある。
【０００３】
特許文献１に記載されているように、基礎の上にブロックを複数段積み上げることによってブロック塀を構築し、そのブロック塀に補強金具を設置するブロック塀構築方法およびブロック塀のための補強金具という発明も公開されている。
【特許文献１】特開２００５−０４８４８８号公報
【発明の開示】
【発明が解決しようとする課題】
【０００４】
しかしながら、特許文献１に記載の発明は、補強金具を直角三角形の斜辺を構成する姿勢で設置するだけであるため、一つの高さにおいてしか積上ブロックを補強することができない。
【０００５】
そこで、本発明は、積上ブロックを複数の高さにおいて補強することにより、地震などの災害時でも倒壊しないようにできる積上ブロック補強用具を提供することを目的とするものである。
【課題を解決するための手段】
【０００６】
本発明は、上記の課題を解決するために、正面側が垂直で背面側が斜面となる略台形状の左側板及び右側板の背面側に背板を連設してコの字状とし、左右側板及び背板の下部に左右土台及び後土台を設けた本体と、前記本体の左土台から右土台に通した複数の支持鉄筋と、一端が前記支持鉄筋に固定される固定部で、他端がフック状の連結部である複数の固定用鉄筋とからなり、前記固定用鉄筋の連結部とブロックの繋ぎ目に通した横筋とを連結材で接続し、前記本体の正面側を積み上げたブロックに当てて支えることを特徴とする積上ブロック補強用具の構成とした。
【発明の効果】
【０００７】
本発明は、以上の構成であるから以下の効果が得られる。第１に、複数の固定用鉄筋により複数の高さにおいて固定でき、内部にセメントを流し込んでブロック塀と連結一体化するので、より補強効果が向上する。
【０００８】
第２に、既存のブロック塀に対して設置することができ、積上ブロック補強用具のサイズを変更することで応力を調整することができるので、必要最小限の大きさで施行することができる。
【発明を実施するための最良の形態】
【０００９】
本発明は、積上ブロックを複数の高さにおいて補強することにより、地震などの災害時でも倒壊しないようにするという目的を、正面側が垂直で背面側が斜面となる略台形状の左側板及び右側板の背面側に背板を連設してコの字状とし、左右側板及び背板の下部に左右土台及び後土台を設けた本体と、前記本体の左土台から右土台に通した複数の支持鉄筋と、一端が前記支持鉄筋に固定される固定部で、他端がフック状の連結部である複数の固定用鉄筋とからなり、前記固定用鉄筋の連結部とブロックの繋ぎ目に通した横筋とを連結材で接続し、前記本体の正面側を積み上げたブロックに当てて支えることで実現した。
【実施例１】
【００１０】
以下に、添付図面に基づいて、本発明である積上ブロック補強用具について詳細に説明する。図１は、本発明である積上ブロック補強用具の斜視図であり、図２は、本発明である積上ブロック補強用具の正面図であり、図３は、本発明である積上ブロック補強用具の平面図であり、図４は、本発明である積上ブロック補強用具の底面図であり、図５は、本発明である積上ブロック補強用具の側面図であり、図６は、本発明である積上ブロック補強用具の断面図である。
【００１１】
積上ブロック補強用具１は、正面側が垂直で背面側が斜面となる略台形状の左側板２ｂ及び右側板２ｃの背面側に背板２ａを連設してコの字状とし、左右側板２ｂ、２ｃ及び背板２ａの下部に左右土台２ｅ、２ｆ及び後土台２ｄを設けた本体２と、前記本体２の左土台２ｅから右土台２ｆに通した複数の支持鉄筋３、４と、一端が前記支持鉄筋３、４に固定される固定部５ｂ、６ｂで、他端がフック状の連結部５ａ、６ａである複数の固定用鉄筋５、６とからなり、前記固定用鉄筋５、６の連結部５ａ、６ａとブロック８の繋ぎ目に通した横筋８ａとを連結材７で接続し、前記本体２の正面側を積み上げたブロック８に当てて支えることを特徴とする。
【００１２】
本体２は、背板２ａ、左側板２ｂ、右側板２ｃ、後土台２ｄ、左土台２ｅ及び右土台２ｆからなる。左側板２ｂと背板２ａ、及び右側板２ｃと背板２ａとが、それぞれ直角に連設されており、上面及び下面は、コの字状である。
【００１３】
背板２ａは、コンクリート等を長方形状に成形した板であり、左側板２ｂ及び右側板２ｃの背面側に沿って斜めに設けられる。尚、左端には左側板２ｂ、右端には右側板２ｃが、一体となるように連設される。
【００１４】
左側板２ｂ及び右側板２ｃは、コンクリート等を略台形状に成形した板であり、正面側の斜辺は垂直であり、背面側の斜辺は上から下へ傾いている。尚、背面側には、背板２ａが斜面を形成するように連設される。
【００１５】
左右側板２ｂ、２ｃの正面側から背面側までの幅及び上側から下側までの高さは、積み上げるブロック８の高さに応じて調整する。尚、左右側板２ｂ、２ｃの幅を変更することで、応力を調整することができる。
【００１６】
後土台２ｄは、背板２ａの下側に垂直に連設する部分である。左土台２ｅ及び右土台２ｆと共に、地中１２に埋めてコンクリート１０で固めることにより、本体２を支える役割をする。
【００１７】
左土台２ｅ及び右土台２ｆは、左側板２ｂ及び右側板２ｃの下側に連設する部分である。尚、左土台２ｅから右土台２ｆへは支持鉄筋３、４が水平方向に貫通する。また、正面側の一部は削り取られ、左切欠き２ｈ及び右切欠き２ｉとなる。
【００１８】
溝２ｇは、左側板２ｂ、背板２ａ及び右側板２ｃにより形成されるコの字型の内側の上から下へ抜ける空間である。上側が狭く、下側が広くなっており、固定用鉄筋５、６が通される。
【００１９】
左切欠き２ｈ及び右切欠き２ｉは、左土台２ｅ及び右土台２ｆを地中１２で固定する際に、ブロック８の基礎９などが邪魔となってしまう場合に、左土台２ｅ及び右土台２ｆの正面側を一部除去した箇所である。
【００２０】
支持鉄筋３及び支持鉄筋４は、直径６ｍｍ程度の鉄筋であり、固定用鉄筋５及び固定用鉄筋６の下側を固定すると共に、左土台２ｅ及び右土台２ｆが地中１２に埋め込まれた際、コンクリート１０に鉄筋を突き刺すことで本体２を支持する。尚、支持鉄筋３、４は、複数設けることができる。
【００２１】
下側の固定用鉄筋５は、直径９ｍｍ程度の鉄筋であり、一端が連結部５ａとなり、他端が固定部５ｂとなる。同様に、上側の固定用鉄筋６は、直径９ｍｍ程度の鉄筋であり、一端が連結部６ａとなり、他端が固定部６ｂとなる。尚、固定用鉄筋５、６は、支持鉄筋３、４の数に対応して設けられる。
【００２２】
連結部５ａ及び連結部６ａは、固定用鉄筋５及び固定用鉄筋６の上側の端であり、先端が物を引っ掛けられるようなフック状である。尚、連結部５ａ、６ａが、ブロック８の繋ぎ目の位置に来るように、固定用鉄筋５、６の長さは調整される。
【００２３】
固定部５ｂは、固定用鉄筋５の下側の端であり、内側の支持鉄筋３に連結させて固定する。同様に、固定部６ｂは、固定用鉄筋６の下側の端であり、外側の支持鉄筋４に連結させて固定する。
【００２４】
図７は、本発明である積上ブロック補強用具の使用状態の斜視図であり、図８は、本発明である積上ブロック補強用具の使用状態の平面図であり、図９は、本発明である積上ブロック補強用具の使用状態の側面図である。
【００２５】
積上ブロック補強用具１は、これからブロック８を積み上げていく場合、又は既に存在する壁のどちらに対しても使用することができる。尚、ブロック８の内部には、横筋８ａが通してあることが望ましい。
【００２６】
ブロック８の積上ブロック補強用具１を当てる側においては、ブロック８の繋ぎ目から横筋８ａを直接出すか、横筋８ａに連結材７を接続するかして、固定用鉄筋５、６と連結出来るようにする。
【００２７】
積上ブロック補強用具１の正面側を、積み上げたブロック８に当てる。積上ブロック補強用具１の後土台２ｄ及び左右土台２ｅ、２ｆは、地中１２に埋め込み、コンクリート１０により固める。
【００２８】
積み上げたブロック８に数段ある繋ぎ目のうち、数ヶ所から出した横筋８ａ又は連結材７に対し、固定用鉄筋５、６の連結部５ａ、６ａを引っ掛けて連結する。複数の高さにおいて補強することが可能である。
【００２９】
積上ブロック補強用具１の溝２ｇにセメント１３を流し込んで、積み上げたブロック８と積上ブロック補強用具１とを一体に連結する。積上ブロック補強用具１がブロック８に対し、直角三角形の斜辺となるので、ブロック８の強度が非常に向上する。
【００３０】
連結材７は、横筋８ａをブロック８の繋ぎ目から外側に出せない場合に、一端を横筋８ａに対して直角に連結して、他端を外側に出すための部材である。両端とも、引っ掛ける又は引っ掛けられる形状である。
【００３１】
ブロック８は、水平方向に並べ、垂直方向に積み上げた複数のコンクリートブロックである。ブロック８の内側及び繋ぎ面には、垂直方向又は水平方向に鉄筋を通すための孔又は隙間が設けられる。
【００３２】
横筋８ａは、ブロック８の繋ぎ目、即ち、上側のブロック８と下側のブロック８の間の隙間、かつ、上側のブロック８と下側のブロック８を繋げるためにセメント等が充填される箇所に、水平方向に通された鉄筋である。
【００３３】
基礎９は、積み上げたブロック８のうち一番下側の地中１２に埋まる土台の部分であり、積み上げたブロック８が倒れないように支える。また、骨材１１は、ブロック８の基礎９及び積上ブロック補強用具１の下側に、地盤を補強するために敷かれる石やコンクリート片などである。
【００３４】
コンクリート１０は、積上ブロック補強用具１の下側を地中１２で固定して支えるために使用する。また、セメント１３は、積上ブロック補強用具１とブロック８を接合するために用いる土木建築用の接着剤である。
【００３５】
図１０は、本発明である積上ブロック補強用具の既存のブロックに対する使用状態の側面図である。既存のブロック８に対して積上ブロック補強用具１を使用する場合、２つの方法がある。
【００３６】
一つは、新たにブロック８を積み上げる場合と同様に、既存のブロック８の横筋８ａと、積上ブロック補強用具１の固定用鉄筋５、６を、連結材７等を使用して連結し、セメント１３を流し込んで固定する。
【００３７】
もう一つは、既存のブロック８には貫通孔７ｃを空け、積上ブロック補強用具１には連結用ボルト７ａを埋め込む。積上ブロック補強用具１の連結用ボルト７ａをブロック８のは貫通孔７ｃに通し、貫通した連結用ボルト７ａの先を連結用ナット７ｂで締めることにより固定する。
【００３８】
以上のように、本発明である積上ブロック補強用具は、複数の固定用鉄筋により複数の高さにおいて固定でき、内部にセメントを流し込んでブロック塀と連結一体化するので、より補強効果が向上する。
【００３９】
また、既存のブロック塀に対して設置することができ、積上ブロック補強用具のサイズを変更することで応力を調整することができるので、必要最小限の大きさで施行することができる。
【図面の簡単な説明】
【００４０】
【図１】本発明である積上ブロック補強用具の斜視図である。
【図２】本発明である積上ブロック補強用具の正面図である。
【図３】本発明である積上ブロック補強用具の平面図である。
【図４】本発明である積上ブロック補強用具の底面図である。
【図５】本発明である積上ブロック補強用具の側面図である。
【図６】本発明である積上ブロック補強用具の断面図である。
【図７】本発明である積上ブロック補強用具の使用状態の斜視図である。
【図８】本発明である積上ブロック補強用具の使用状態の平面図である。
【図９】本発明である積上ブロック補強用具の使用状態の側面図である。
【図１０】本発明である積上ブロック補強用具の既存のブロックに対する使用状態の側面図である。
【符号の説明】
【００４１】
１        積上ブロック補強用具
２        本体
２ａ      背板
２ｂ      左側板
２ｃ      右側板
２ｄ      後土台
２ｅ      左土台
２ｆ      右土台
２ｇ      溝
２ｈ      左切欠き
２ｉ      右切欠き
３        支持鉄筋
４        支持鉄筋
５        固定用鉄筋
５ａ      連結部
５ｂ      固定部
６        固定用鉄筋
６ａ      連結部
６ｂ      固定部
７        連結材
７ａ      連結用ボルト
７ｂ      連結用ナット
７ｃ      貫通孔
８        ブロック
８ａ      横筋
９        基礎
１０        コンクリート
１１        骨材
１２        地中
１３        セメント
【図１】
2007132005.tif 000003
【図２】
2007132005.tif 000004
【図３】
2007132005.tif 000005
【図４】
2007132005.tif 000006
【図５】
2007132005.tif 000007
【図６】
2007132005.tif 000008
【図７】
2007132005.tif 000009
【図８】
2007132005.tif 000010
【図９】
2007132005.tif 000011
【図１０】
2007132005.tif 000012